(57)【特許請求の範囲】
【請求項１】
被検者に装着するセンサから被検者の生体情報を測定し、被検者ごとに生体情報を記憶する生体情報測定装置において、
前記センサの被検者への装着状態を検出するセンサ装着状態検出手段と、
前記センサ装着状態検出手段により前記センサがはずれた状態から装着された状態になったことを検出して被検者情報を入力するよう喚起する報知を行う報知手段と、
を具備することを特徴とする生体情報測定装置。
【請求項２】
被検者に装着するセンサから被検者の生体情報を測定し、被検者ごとに生体情報を記憶する生体情報測定装置において、
前記センサの被検者への装着状態を検出するセンサ装着状態検出手段と、
前記センサ装着状態検出手段により前記センサがはずれた状態から装着された状態になったことを検出して被検者情報を入力するモードに設定する被検者情報入力モード設定手段と、
を具備することを特徴とする生体情報測定装置。
【発明の詳細な説明】
【０００１】
【発明の属する技術分野】
本発明は、生体情報測定装置に係り、特に生体情報の測定にあたって、被検者情報の入力漏れを防止する機能を備えた生体情報測定装置に関する。
【０００２】
【従来の技術】
被検者（患者）を頻繁に交代して生体情報を測定するための生体情報測定装置としては、例えば、心電図を測定し、不整脈を解析する心電図解析装置等がある。このような装置では、心電図等生体情報を測定する際、被検者（患者）を特定等するための情報を入力する。その入力は装置の操作者の自発性に任されていた。
しかし、このような装置では、操作者が被検者情報の入力をし忘れて、生体情報の測定を続けて、測定後も被検者情報の入力がされないまま放置されるおそれがあった。また、前回の被検者の生体情報の測定の際、被検者情報が入力されないまま、次の被検者の生体情報の測定が行われるおそれがあった。
このように、被検者情報の入力が行われないと、測定された生体情報がどの被検者のものであるのか不明となって、被検者氏名を間違え、データを取り違えるなど、データ管理上、問題であった。また、被検者情報の入力がなされていなかったことを測定後に気付いたとしても、再度生体情報を測定することは煩雑にすぎ、また、取得したい生体情報、例えば発生している心電図上の不整脈あるいは同じ生体情報を測定することができるものではない。さらに、測定検査する毎に被検者情報を入力するよう義務づけるのも煩雑である。
このような被検者情報の入力のし忘れは、被検者が次々に交代して生体情報が測定される際のほか、測定開始時、装置始動時あるいは、外部装置への生体情報送信の際にも起きうることである。
【０００３】
【発明が解決しようとする課題】
本発明は、上記した従来技術の欠点を解決するためになされたものであって、その目的は、生体情報の測定にあたって、被検者情報の入力漏れを防止する機能を備えた生体情報測定装置を提供することにある。
【０００４】
【課題を解決するための手段】
前記課題を解決するために、本発明に係る生体情報測定装置は、被検者に装着するセンサから被検者の生体情報を測定し、被検者ごとに生体情報を記憶する生体情報測定装置であって、
前記センサの被検者への装着状態を検出するセンサ装着状態検出手段と、
前記センサ装着状態検出手段により前記センサがはずれた状態から装着された状態になったことを検出して被検者情報を入力するよう喚起する報知を行う報知手段と、
を具備することを特徴とする（請求項１）。
被検者を交代して生体情報を測定する際には、被検者に装着したセンサがはずれた状態から装着された状態になる。そのため、この構成により、センサ装着状態検出手段によりセンサの装着状態が変化したことが検出されると、次の被検者が測定されると想定されるため、報知手段により被検者情報を入力するよう喚起され、被検者情報の入力漏れが防止されることになる。
【０００５】
あるいは、本発明に係る生体情報測定装置は、被検者に装着するセンサから被検者の生体情報を測定し、被検者ごとに生体情報を記憶する生体情報測定装置であって、
前記センサの被検者への装着状態を検出するセンサ装着状態検出手段と、
前記センサ装着状態検出手段により前記センサがはずれた状態から装着された状態になったことを検出して被検者情報を入力するモードに設定する被検者情報入力モード設定手段と、
を具備することを特徴とする（請求項２）。
被検者を交代して生体情報を測定する際には、被検者に装着したセンサがはずれた状態から装着された状態になる。そのため、この構成により、センサ装着状態検出手段によりセンサの装着状態が変化したことが検出されると、次の被検者が測定されると想定されるため、被検者情報入力モード設定手段により被検者情報を入力するモード設定され、操作者が被検者情報を入力できるようになり、被検者情報の入力漏れが防止されることになる。
【００１２】
【発明の実施の形態】
以下、本発明に係る生体情報測定装置として心電計を例に挙げ、図面を参照しながら詳細に説明する。
図１は、標準１２誘導心電図検査用の心電計１５を用いて被検者（患者）１６の生体情報である心電図を測定する様子を示す図である。被検者１６の胸に装着された胸部電極１により胸部の心電位がケーブル２，５を介して心電計１５に送られる。被検者１６の四肢に装着された四肢電極３により四肢の心電位がケーブル４、５を介して心電計１５に送られる。心電計１５は、操作部６により操作され、表示部７には、測定された心電図、被検者情報等が表示されるようになっている。
【００１３】
図２は、心電計１５の構成ブロック図を示す図である。
被検者１６には心電位を測定するため、センサとしての胸部電極１および四肢電極３が装着される。胸部電極１、四肢電極３で検出された心電位信号はそれぞれケーブル２，４と５を介して送信され、増幅器（ＡＭＰ）１１により増幅され、Ａ／Ｄコンバーター１２によりデジタル信号に変換され、記憶部８に記憶されるとともに、不整脈の解析対象とされ、表示部７に表示されるなど、種々の処理がなされる。
【００１４】
電極がはずされると被検者の測定が終了し、再度装着されると被検者が交代して次の被検者の測定に移行すると想定されるので、電極の装着状態が検出できるようになっている。
胸部電極１は、正確な位置に電極を配置するために、測定前によく装着したりはずしたりを繰り返すが、四肢電極３は、一度装着すると測定が終了するまで電極をはずすことはあまりないので、四肢電極３のすべてがはずれたことを検出したことで、被検者の測定が終了し、次の被検者の測定が開始されると想定することができる。そこで、４つの四肢電極３のうち１つのＲＦ電極（右足に装着する電極）を基準電極とし、バイアス定電流源１０により微弱電流を四肢電極３のそれぞれの電極に微弱電流を流し、生体を流れた微弱電流がＲＦ電極に帰還するようにする。そして、その微弱電流は増幅器１１により増幅され、Ａ／Ｄコンバーター１２によりデジタル信号に変換され、電極装着状態検出部１３に送信される。ここでは、比較器が内蔵され、各四肢電極ごとの電位が、所定閾値以内であればその電極は被検者に装着され、その所定閾値を超えるとその電極がはずれた状態であると検出する。測定が終了し、次の被検者の測定を始めるには、総ての電極を一旦取り外すので、四肢電極すべてが取り外されたことを検出することで、被検者の測定の終了が想定される。また、再度電極が被検者に装着されたことを検出することで、被検者が交代し、次の被検者の測定が開始されることが想定される。
【００１５】
なお、これに限らず、微弱電流を四肢電極３と胸部電極１の各電極すべてに微弱電流を流して、電極装着状態検出部１３において各電極のはずれを検出し、すべての電極がはずれた状態を検出することでも、被検者の測定の終了および次の被検者の測定の開始を想定することができる。
あるいは、すべての電極でなくとも主要の電極を定めて、その電極がはずれたことを検出することで被検者の測定の終了および次の被検者の測定の開始を想定してもよい。
また、電極がはずれた状態が所定時間以上継続したことを条件として、測定終了のため電極がはずされたと認識するようにしてもよい。
なお、電極装着状態検出の構成・方式はこれに限らず、その他の構成・方式であってもよい。
【００１６】
ＣＰＵ９は、操作部６の操作により指示された信号を受け、記憶部８に記憶されたプログラムに従い、種々の処理を行う。その他、ＣＰＵ９は、測定され記憶部８に記憶された心電位信号等の生体信号の解析処理、表示部７への表示処理、外部送信端子１４からの外部装置への送信処理を行う。さらには、本発明の主旨である電極装着状態に基づく被検者情報入力防止のための記憶部８に記憶されたプログラム、その他の被検者情報入力防止プログラムの処理もＣＰＵ９により実行される。
【００１７】
次に、本発明の主旨である被検者情報入力漏れ防止の機能を図３と図４のフローチャート、図１１、１２の表示部７の表示例を参照にして説明する。なお、一連の処理は、記憶部８に記憶された被検者情報入力防止プログラムに基づいてＣＰＵ９により処理が実行される。
【００１８】
［第１の実施の形態］第１の実施の形態として図２、３、１１を参照して説明する。まず前回の被検者（患者）の測定が終了したとする（ステップ１）。そうすると、被検者に装着された電極はすべて取り外されるので、電極装着状態検出部１３により、予め設定されているすべての電極がはずれたことを検出する（ステップ２）。なお、予め設定する電極としては、上述のように、四肢電極としてもよいし、四肢電極と胸部電極の双方でもよいし、あるいは主要電極を決定して設定してもよい。次に、今回の被検者の測定のため、すべての電極が被検者に装着される。そのため、電極装着状態検出部１３により、予め設定されているすべての電極が装着されたことを検出する（ステップ３）。すると、記憶部８の被検者情報が変更されているか確認され（ステップ４）、変更されていない場合には、表示部７に被検者情報の変更を促すメッセージを表示し、被検者情報を入力するよう喚起する（ステップ５）。例えば、表示部７には図１１（ａ）に示す「被検者情報が変更されていません。被検者情報の変更をしてください」のようなメッセージが表示され報知される。そして、検査者（装置の操作者）により操作部６から被検者情報が入力されると記憶部８に記憶され（ステップ６）、測定が準備される。そのうえで、測定が開始される（ステップ７）。なお、ステップ４において、被検者情報が既に変更されていれば、即ステップ７に移り、測定が開始される。これにより、被検者情報の入力漏れが防止できる。また、ノイズが混入したために、再度測定を行う場合、電極を装着しなおさずに行うならば、被検者情報を変更する必要はない。
【００１９】
［第２の実施の形態］第２の実施の形態として図２、４、１２を参照して説明する。第２の実施の形態は、第１の実施の形態と比較すると、ステップ５が異なる。以下、ステップを説明する。前回の被検者（患者）の測定が終了したとする（ステップ１）と、被検者に装着された電極はすべて取り外されるので、電極装着状態検出部１３により、予め設定されているすべての電極がはずれたことを検出する（ステップ２）。次に、今回の被検者の測定のため、すべての電極が被検者に装着される。そのため、電極装着状態検出部１３により、予め設定されているすべての電極が装着されたことを検出する（ステップ３）。そして、ステップ４において、記憶部８の被検者情報が変更されていないと、ステップ５において、被検者情報を入力するモードに設定され、操作部６により入力できる状態となる。具体的には、図１２に示すように、表示部７に、被検者情報、例えば被検者氏名、被検者ＩＤ、性別、年齢等が入力できる表示となり、操作部６（文字入力可能なキー等）から被検者情報が入力できるようになる。そして、この状態で、操作部６により被検者情報を入力すると、記憶部８に記憶され（ステップ６）、測定が開始される（ステップ７）。
【００２０】
本発明の参考例１として図２、５、１１（ｂ）を参照して説明する。被検者の測定のため、測定を開始する操作開始ボタンまたは装置の電源入力ボタンを操作する（ステップ１）。なお、ここで、これら操作開始ボタンまたは装置電源入力ボタンは操作部６の操作ボタンとして設定されている。すると、記憶部８に被検者情報が入力されているかどうか確認され（ステップ２）、入力されていないと、表示部７に被検者情報の入力を促すメッセージが表示され、被検者情報を入力するよう喚起する（ステップ３）。例えば、表示部７には図１１（ｂ）に示す「被検者情報が入力されていません。被検者情報を入力してください」のようなメッセージが表示され報知される。そして、検査者（装置の操作者）により操作部６から被検者情報が入力されると記憶部８に記憶され（ステップ４）、測定が準備される。そのうえで、測定が開始される（ステップ５）。なお、ステップ２において、被検者情報が既に入力されていれば、即ステップ５に移り、測定が開始される。これにより、被検者情報の入力漏れが防止できる。この参考例は、測定初回のとき等に用いると有用である。
【００２１】
本発明の参考例２として図２、６、１２を参照して説明する。参考例２は、参考例１と比較すると、ステップ３が異なる。以下、ステップを説明する。被検者の測定のため、測定を開始する操作開始ボタンまたは装置の電源入力ボタンを操作する（ステップ１）。すると、記憶部７に被検者情報が入力されているかどうか確認され（ステップ２）、入力されていないと、ステップ３において、被検者情報を入力するモードに設定され、操作部６により入力できる状態となる。具体的には、図１２に示すように、表示部７に、被検者情報、例えば被検者氏名、被検者ＩＤ、性別、年齢等が入力できる表示となり、操作部６（文字入力可能なキー等）から被検者情報が入力できるようになる。そして、この状態で、操作部６から被検者情報が入力されると、記憶部８に記憶され（ステップ４）、測定が開始される（ステップ５）。
【００２２】
本発明の参考例３として図２、７、１１（ｂ）を参照して説明する。これは計測した心電位等生体情報の外部装置への送信の際の被検者情報の入力漏れ防止するものである。記憶部８に記憶されている生体情報のデータを送信するため、外部送信端子１４に送信したい外部装置のインターフェイスを接続し、操作部６にある送信ボタンを操作する（ステップ１）。そして、送信される生体情報のデータに被検者情報がないものがあるかどうか確認される（ステップ２）。そして、被検者情報がないものがあった場合には、表示部７に被検者情報の入力を促すメッセージを表示され、被検者情報を入力するよう喚起する（ステップ３）。例えば、表示部７には図１１（ｂ）に示す「被検者情報が入力されていません。被検者情報を入力してください」のようなメッセージが表示され報知される。そして、検査者（装置の操作者）により操作部６から被検者情報が入力されると記憶部８に記憶され（ステップ４）、そのうえで、送信が開始される（ステップ５）。なお、ステップ２において、送信するデータについて被検者情報が入力されていれば、即ステップ５に移り、送信が開始される。これにより外部装置への送信の際の被検者情報の入力漏れ防止することができる。なお、外部装置への送信は、有線送信の他、無線送信であってもよい。
【００２３】
本発明の参考例４として図２、８、１２を参照して説明する。参考例４は、参考例３と比較すると、ステップ３が異なる。以下、ステップを説明する。記憶部８に記憶されている生体情報のデータを送信するため、外部送信端子１４に送信したい外部装置のインターフェイスを接続し、操作部６にある送信ボタンを操作する（ステップ１）。そして、送信される生体情報のデータに被検者情報がないものがあるかどうか確認される（ステップ２）。そして記憶部８の被検者情報が入力されていないものがあると、ステップ３において、被検者情報を入力するモードに設定され、操作部６により入力できる状態となる。具体的には、図１２に示すように、表示部７に、被検者情報、例えば被検者氏名、被検者ＩＤ、性別、年齢等が入力できる表示となり、操作部６（文字入力可能なキー等）から被検者情報が入力できるようになる。そして、この状態で、操作部６により被検者情報を入力すると、記憶部８に記憶され（ステップ４）、測定が開始される（ステップ５）。これにより外部装置への送信の際の被検者情報の入力漏れ防止することができる。
【００２４】
本発明の参考例５として図２、９、１１（ｂ）を参照して説明する。被検者の測定のため、測定を開始する操作開始ボタンまたは装置の電源入力ボタンを操作する（ステップ１）。なお、ここで、これら操作開始ボタンまたは装置電源入力ボタンは操作部７の操作ボタンとして設定されている。すると、即、表示部７に被検者情報の入力を促すメッセージが表示され、被検者情報を入力するよう喚起する（ステップ２）。例えば、表示部７には図１１（ｂ）に示す「被検者情報が入力されていません。被検者情報を入力してください」のようなメッセージが表示され報知される。そして、検査者（装置の操作者）により操作部６から被検者情報が入力されると記憶部８に記憶され（ステップ３）、測定が準備される。そのうえで、測定が開始される（ステップ４）。これにより、測定開始時毎にまたは装置の電源入力時毎に被検者情報の入力が喚起され、入力漏れが防止できる。この参考例は、測定初回のとき等に用いると有用である。
【００２５】
本発明の参考例６として図２、１０、１２を参照して説明する。参考例６は、参考例５と比較すると、ステップ２が異なる。以下、ステップを説明する。被検者の測定のため、測定を開始する操作開始ボタンまたは装置の電源入力ボタンを操作する（ステップ１）と、即、被検者情報を入力するモードに設定され、操作部６により入力できる状態となる。具体的には、図１２に示すように、表示部７に、被検者情報、例えば被検者氏名、被検者ＩＤ、性別、年齢等が入力できる表示となり、操作部６（文字入力可能なキー等）から被検者情報が入力できるようになる。そして、検査者（装置の操作者）により操作部６から被検者情報が入力されると記憶部８に記憶され（ステップ３）、測定が準備される。そのうえで、測定が開始される（ステップ４）。これにより、測定開始時毎にまたは装置の電源入力時毎に被検者情報の入力モードとなり、入力漏れが防止できる。この参考例は、測定初回のとき等に用いると有用である。
【００２６】
以上の被検者情報入力は、文字情報入力できるキーを有する操作部６を例としたが、これに限らず、バーコード入力用できるものであってもよい。又は心電計とシステム化された付属する別装置に被検者情報を入力するようにしてもよい。被検者ＩＤ番号が変更されていないかを確認する機能を有していても良い。また、第１、２実施の形態では、電極が一旦はずされ、再装着されたときに被検者情報を入力するよう喚起したりあるいは被検者入力モードに設定されたが、これに代え、電極がはずされた時点で、被検者情報を入力するよう喚起したりあるいは被検者入力モードに設定されるようにしてもよい。さらには、本発明は、生体情報測定装置としては心電計に限られず、他の生体情報を計測する装置、例えば脳波計、筋電計、酸素飽和度測定装置、多人数の被検者を対象として順次検診を行うための検診装置にも適用可能である。センサも電極に限られず、その生体情報に適したプローブなどのセンサを用いることができる。
【００２７】
【発明の効果】
以上詳記したように、請求項１に記載の生体情報測定装置によれば、センサ装着状態検出手段により前記センサがはずれた状態から装着された状態になったことが検出でき、報知手段により被検者情報を入力するよう喚起され、被検者情報の入力漏れを防止することができる。
【００２８】
また、請求項２に記載の生体情報測定装置によれば、センサ装着状態検出手段により前記センサがはずれた状態から装着された状態になったことが検出でき、被検者情報入力モード設定手段により被検者情報を入力するモード設定され、操作者が被検者情報を入力できるようになり、被検者情報の入力漏れを防止することができる。
【図面の簡単な説明】
【図１】  本実施例の装置を用いた被検者の生体情報を測定する様子を示した図である。
【図２】  本実施例の装置の機能ブロック図を示す図である。
【図３】  第１の実施の形態の処理フローチャートを示す図である。
【図４】  第２の実施の形態の処理フローチャートを示す図である。
【図５】  参考例１の処理フローチャートを示す図である。
【図６】  参考例２の処理フローチャートを示す図である。
【図７】  参考例３の処理フローチャートを示す図である。
【図８】  参考例４の処理フローチャートを示す図である。
【図９】  参考例５の態様の処理フローチャートを示す図である。
【図１０】  参考例６の処理フローチャートを示す図である。
【図１１】  （ａ）は被検者情報の変更を促す表示部７の表示例を示す図であり、（ｂ）は被検者情報の入力を促す表示部７の表示例を示す図である。
【図１２】  被検者情報の入力モードの表示部７の表示例を示す図である。
【符号の説明】
１  胸部電極
２  ケーブル
３  四肢電極
４  ケーブル
５  ケーブル
６  操作部
７  表示部
８  記憶部
９  ＣＰＵ
１０  バイアス定電流源
１１  増幅器（ＡＭＰ）
１２  Ａ／Ｄコンバーター
１３  電極装着状態検出部
１４  外部送信端子
１５  心電計
１６  被検者（患者）
【図１】
0004055118.tif 000002
【図２】
0004055118.tif 000003
【図３】
0004055118.tif 000004
【図４】
0004055118.tif 000005
【図５】
0004055118.tif 000006
【図６】
0004055118.tif 000007
【図７】
0004055118.tif 000008
【図８】
0004055118.tif 000009
【図９】
0004055118.tif 000010
【図１０】
0004055118.tif 000011
【図１１】
0004055118.tif 000012
【図１２】
0004055118.tif 000013